(57)【要約】【課題】排気管にワラ屑等が降りかかるのを防止できるようにすることが望まれていた。【解決手段】機体前部側に位置する運転部４と、運転部４の後方側に位置する穀粒タンク６と、穀粒タンク６の機体横一側に位置する脱穀装置５と、運転部４の下方に位置するエンジン１７と、エンジン１７からの排ガスを浄化処理する排ガス浄化装置２１と、排ガス浄化装置２１から排出される処理後の排気を機体外部に排出する排気管とが備えられ、排気管が、穀粒タンク６と脱穀装置５との間に、排ガス浄化装置２１の排出部から後上がり傾斜姿勢で脱穀装置５の上端側箇所まで延びる状態で設けられ、排気管の排出口よりも前側において、排気管よりも上側に位置する箇所に、脱穀装置５と穀粒タンク６とに亘るカバーが設けられている。【選択図】図２
2020137524.tif 000002
【特許請求の範囲】
【請求項１】
機体前部側に位置する運転部と、前記運転部の後方側に位置する穀粒タンクと、前記穀粒タンクの機体横一側に位置する脱穀装置と、前記運転部の下方に位置するエンジンと、前記エンジンからの排ガスを浄化処理する排ガス浄化装置と、前記排ガス浄化装置から排出される処理後の排気を機体外部に排出する排気管とが備えられ、
前記排気管が、前記穀粒タンクと前記脱穀装置との間に、前記脱穀装置よりも上方まで延びる状態で設けられ、
前記排気管よりも上側に位置する箇所に、前記脱穀装置と前記穀粒タンクとに亘るカバーが設けられているコンバイン。
【請求項２】
前記穀粒タンクは、前記脱穀装置側に張り出す張出部を備え、
機体前後方向視において、前記張出部は、前記脱穀装置の前記穀粒タンク側の端部よりも前記穀粒タンク側とは反対側に張り出されている請求項１に記載のコンバイン。
【請求項３】
機体前後方向視において、前記張出部は、前記カバーの前記穀粒タンク側の端部よりも前記脱穀装置側に張り出されている請求項２に記載のコンバイン。
【請求項４】
前記張出部は前記カバーよりも上側に位置している請求項２又は３に記載のコンバイン。
【請求項５】
前記穀粒タンクは、前記脱穀装置の機体横一側に位置する通常作業位置と、機体横外側方に張り出すメンテナンス位置とにわたり位置変更自在に設けられ、
前記カバーは、前記脱穀装置又は前記穀粒タンクのいずれかに片持ち状に支持されている請求項１から４のいずれか１項に記載のコンバイン。
【請求項６】
前記カバーは、前記脱穀装置の前記穀粒タンク側の側部における上端部において、水平状態で且つ前後方向に延びる状態で設けられている請求項１から５のいずれか１項に記載のコンバイン。
【請求項７】
前記カバーは、弾性部材にて形成されている請求項１から６のいずれか１項に記載のコンバイン。
【請求項８】
前記カバーの下方に前記排ガス浄化装置が配置されている請求項１から７のいずれか１項に記載のコンバイン。
【請求項９】
前記排気管が、前記穀粒タンクと前記脱穀装置との間に、前記排ガス浄化装置の排出部から後上がり傾斜姿勢で設けられている請求項１から８のいずれか１項に記載のコンバイン。
【発明の詳細な説明】
【技術分野】
【０００１】
本発明は、機体前部の運転部の下方にエンジンが備えられているコンバインに関する。
【背景技術】
【０００２】
従来では、エンジンからの排ガスを浄化処理する排ガス浄化装置が、運転部の機体後方側に位置する状態で備えられ、排ガス浄化装置から排出される排ガスを外部に排出する排気管が、脱穀装置と穀粒タンクとの間において後上がり傾斜姿勢で延設され、且つ、脱穀装置の上方に向けて排ガスを排出するように構成されたものがあった（例えば、特許文献１参照）。
【先行技術文献】
【特許文献】
【０００３】
【特許文献１】特開２０１６−１６８０２２号公報
【発明の概要】
【発明が解決しようとする課題】
【０００４】
上記従来構成は、排気管をできるだけ高い位置に備えて、ワラ屑等が排気管に降りかかるおそれが少なくなるようにしたものである。しかし、上記構成であっても、刈取作業に伴って発生するワラ屑は、高く舞い上がり、そのまま脱穀装置と穀粒タンクとの間の隙間を通して排気管に降りかかることがある。また、舞い上がったのち脱穀装置の上部に堆積していたワラ屑が、風によって吹き飛ばされて脱穀装置と穀粒タンクとの間の隙間を通して排気管に降りかかることもある。
【０００５】
上記したような排ガス処理装置にて処理された後の排ガスは、エンジンから排出される排ガスよりも高温になることがある。上記従来構成では、このように高温の排ガスが通流することで高温になるおそれがある排気管に対して、ワラ屑が降りかかることにより悪影響を与える不利があり、この点で未だ改善の余地があった。
【０００６】
そこで、排気管にワラ屑等が降りかかるのを防止できるようにすることが望まれていた。
【課題を解決するための手段】
【０００７】
本発明に係るコンバインの特徴構成は、機体前部側に位置する運転部と、前記運転部の後方側に位置する穀粒タンクと、前記穀粒タンクの機体横一側に位置する脱穀装置と、前記運転部の下方に位置するエンジンと、前記エンジンからの排ガスを浄化処理する排ガス浄化装置と、前記排ガス浄化装置から排出される処理後の排気を機体外部に排出する排気管とが備えられ、
前記排気管が、前記穀粒タンクと前記脱穀装置との間に、前記排ガス浄化装置の排出部から後上がり傾斜姿勢で前記脱穀装置の上端側箇所まで延びる状態で設けられ、
前記排気管の排出口よりも前側において、前記排気管よりも上側に位置する箇所に、前記脱穀装置と前記穀粒タンクとに亘るカバーが設けられている点にある。
【０００８】
本発明によれば、排ガス浄化装置の排出部から後上がり傾斜姿勢で延びる排気管に対して、排気管のうち最後部の最も高い位置にある排出口よりも前側で且つ排気管よりも上側に位置する箇所にカバーが設けられる。このカバーは、脱穀装置と穀粒タンクとに亘って設けられるので、刈取作業に伴って高く舞い上がっているワラ屑や、脱穀装置や穀粒タンクの天井面の上に堆積したのち風により飛ばされたワラ屑等が、脱穀装置と穀粒タンクとの間の隙間を通して排気管に降りかかることを防止できる。
【０００９】
本発明においては、前記穀粒タンクは、前記脱穀装置の機体横一側に位置する通常作業位置と、機体横外側方に張り出すメンテナンス位置とにわたり位置変更自在に設けられ、
前記カバーは、前記脱穀装置又は前記穀粒タンクのいずれかに片持ち状に支持されていると好適である。
【００１０】
本構成によれば、穀粒タンクが通常作業位置にあれば、穀粒タンクと脱穀装置とが近づいた状態となる。穀粒タンクがメンテナンス位置にあれば、穀粒タンクは機体横外側方に張り出すので、脱穀装置との間は大きく開放される。
【００１１】
カバーは、穀粒タンクが通常作業位置にあれば、穀粒タンクと脱穀装置との間の隙間を塞ぐことができる。そして、カバーは、脱穀装置又は穀粒タンクのいずれかに片持ち状に支持されるから、穀粒タンクがメンテナンス位置と通常作業位置との間で位置変更する構成であっても、穀粒タンクが通常作業位置に切り換わると、カバーによって適切に穀粒タンクと脱穀装置との間の隙間を塞ぐ状態に設定できる。
【００１２】
本発明においては、前記カバーは、前記脱穀装置の前記穀粒タンク側の側部における上端部において、水平状態で且つ前後方向に延びる状態で設けられていると好適である。
【００１３】
本構成によれば、カバーは、機体の高い位置である脱穀装置の上端部に設けられるので、脱穀装置と穀粒タンクとの間に作業者が入り込んでメンテナンス作業を行う場合であっても、カバーが作業の邪魔になることがない。カバーは、水平状態で且つ前後方向に延びているので、脱穀装置と穀粒タンクとの隙間を前後方向にわたって良好に塞ぐことができる。
【００１４】
本発明においては、前記カバーは、弾性部材にて形成されていると好適である。
【００１５】
本構成によれば、脱穀装置と穀粒タンクとの間隔が狭くなって、カバーが接触することがあっても、カバーが弾性変形して無理なく脱穀装置と穀粒タンクとの間の隙間を閉塞することができる。
【００１６】
本発明においては、前記カバーの下方に前記排ガス浄化装置が配置されていると好適である。
【００１７】
本構成によれば、カバーによって排ガス浄化装置に対してワラ屑が降りかかることを防止できる。従って、高温になる排ガス浄化装置にワラ屑が降りかかることにより悪影響を与える不利を回避させることができる。
【図面の簡単な説明】
【００１８】
【図１】コンバインの全体側面図である。
【図２】コンバインの全体平面図である。
【図３】エンジン周りの構成を示す側面図である。
【図４】排気管配置箇所の平面図である。
【図５】カバー取付け箇所の縦断正面図である。
【図６】排気管配置箇所の縦断正面図である。
【図７】排気管の上部の取付け状態を示す斜視図である。
【図８】排気管の上部の取付け状態を示す分解斜視図である。
【図９】排気管の上部の取付け状態を示す平面図である。
【発明を実施するための形態】
【００１９】
以下、本発明の実施の形態を自脱型のコンバインに適用した場合について図面に基づいて説明する。
【００２０】
〔全体構成〕
図１及び図２に示すように、本発明に係るコンバインは、左右一対のクローラ走行装置１，１によって自走する走行機体の前部に植立穀稈を刈り取る刈取部２が備えられている。走行機体の前部右側にキャビン３にて周囲が覆われた運転部４が備えられ、走行機体の後部には、刈取部２にて刈り取られた穀稈を脱穀処理する脱穀装置５と、脱穀処理にて得られた穀粒を貯留する穀粒タンク６と、が横方向に並ぶ状態で備えられている。走行機体の運転部４の下方に位置する状態で原動部７が備えられ、穀粒タンク６に貯留された穀粒を機外に排出するアンローダ８が備えられている。
【００２１】
この実施形態では、機体の前後方向を定義するときは、作業状態における機体進行方向に沿って定義し、機体の左右方向を定義するときは、機体進行方向視で見た状態で左右を定義する。すなわち、図１及び図２に符号（Ｆ）で示す方向が機体前側、図１及び図２に符号（Ｂ）で示す方向が機体後側である。図２に符号（Ｌ）で示す方向が機体左側、図２に符号（Ｒ）で示す方向が機体右側である。
【００２２】
刈取部２は、刈取対象となる植立穀稈の株元を分草案内する分草具９と、分草された植立穀稈を縦姿勢に引き起こす複数の引き起こし装置１０、引き起された植立穀稈の株元を切断するバリカン型の刈取装置１１、刈取穀稈を縦姿勢から徐々に横倒れ姿勢になるように姿勢変更しながら後方に搬送して脱穀装置５に供給する縦搬送装置１２等を備えている。
【００２３】
走行機体を走行させて刈取作業を実行すると、刈取部２は、刈取対象の植立穀稈を分草具９によって後方の引き起こし装置１０に導入して引き起し処理する。引き起し処理される植立穀稈をバリカン形の刈取装置１１によって刈取処理し、刈取穀稈を縦搬送装置１２によって後方に搬送して脱穀装置５の脱穀フィードチェーン１３に供給する。
【００２４】
脱穀装置５は、供給された刈取穀稈の株元側を脱穀フィードチェーン１３によって機体後方向きに挟持搬送しながら、穂先側を扱室に供給して脱穀処理する。図示はしないが、扱室にて脱穀処理された後の脱穀処理物が下方の選別部にて穀粒とワラ屑等とに選別される。穀粒は、図示しない一番物搬送スクリューにより脱穀装置５の右横側外方に搬出されたのち、揚穀コンベア１４により揚送され、上端部の送り出し羽根１４ａにより跳ね飛ばし供給されて穀粒タンク６内部に搬送される。ワラ屑は後部側から機外に排出される。穀粒タンク６は、脱穀装置５から送り込まれる穀粒を貯留する。刈取作業終了後、穀粒タンク６に貯留された穀粒はアンローダ８により外部に搬出される。
【００２５】
図１，２に示すように、アンローダ８は、穀粒タンク６の底部に前後向き姿勢で設けられた底スクリュー（図示せず）にて搬送された穀粒を上方に向けて縦送り搬送する縦送りスクリューコンベア８Ａと、その縦送りスクリューコンベア８Ａの上部に接続されるとともに、穀粒を先端の排出口１５まで横送り搬送する横送りスクリューコンベア８Ｂとを備えている。
【００２６】
脱穀装置５は、天板１６を上方に開放して、扱室内で付着している詰まり穀稈を除去する作業や、作業終了後の点検修理等のメンテナンス作業を容易に行うことができる。図６に示すように、天板１６のうちの右側に位置する右側天板部分１６ａは右側端部の前後軸芯Ｘ周りで上方に揺動開放可能である。
【００２７】
〔エンジン周りの構成〕
図３に示すように、原動部７にはエンジン１７が備えられ、このエンジン１７は、クランク軸方向が機体横方向となる搭載姿勢で、弾性支持体としてのゴム式マウント機構１８を介して機体フレーム１９に支持されている。
【００２８】
そして、図１，２，３に示すように、エンジン１７の排ガス中に含まれる粒子状物質を低減する第１排ガス処理装置２０と、その第１排ガス処理装置２０にて処理された後の排ガス中に含まれる窒素酸化物を低減する第２排ガス処理装置２１（本発明における排ガス浄化装置に相当）とが備えられている。
【００２９】
第１排ガス処理装置２０は、排ガスに含まれるディーゼル微粒子を捕集する公知技術であるディーゼル微粒子捕集フィルター（ＤＰＦ）（図示せず）を備え、通過する排ガスに含まれるディーゼル微粒子を減少させる。
【００３０】
第２排ガス処理装置２１は、公知技術である選択触媒還元（ＳＣＲ）を利用して排ガスの浄化処理を行う。具体的には、還元剤の一例である尿素水を排ガス中に噴射して加水分解させてアンモニア（ＮＨ３）を生成する。そして、そのアンモニア（ＮＨ３）と排ガスに含まれる窒素酸化物（ＮＯｘ）とを化学反応させて、窒素（Ｎ２）と水（Ｈ２Ｏ）とに還元させることで排ガス中に含まれる窒素酸化物を低減させる。
【００３１】
第１排ガス処理装置２０は原動部７の内部に配備されている。すなわち、運転部４の左側後部の下方で且つエンジン１７の上部に、長手方向が機体前後方向に沿う状態で配備されている。図３に示すように、第１排ガス処理装置２０は、機体前後両側の一対の支持部２２，２２によってエンジン１７に連結支持されている。
【００３２】
第１排ガス処理装置２０における機体前部側の下側箇所に排ガス導入口２３が備えられ、排ガス導入口２３がエンジン１７側の排気管２４に接続されている。第１排ガス処理装置２０における機体後部側の右側箇所に排ガス出口部２５が備えられている。
【００３３】
第２排ガス処理装置２１は、原動部７の外部であって、平面視で運転部４の機体後方側に位置する状態で備えられている。第２排ガス処理装置２１は、穀粒タンク６の前部下方に位置するとともに、平面視で穀粒タンク６と重複する状態で配備されている。
【００３４】
図２，３，４に示すように、第２排ガス処理装置２１は、第１排ガス処理装置２０から供給される排ガスに対して尿素水が噴射供給される円筒形状のドージング部２６と、ドージング部２６よりも大径の円筒形状であって且つ還元処理を行う本体処理部２７とを備えている。ドージング部２６と本体処理部２７とは、各々の下部において一体的に連結され、ドージング部２６にて尿素水が噴射供給された排ガスが本体処理部２７に供給されるように連通している。円筒形状のドージング部２６及び本体処理部２７は夫々、円筒形状の中心軸に沿う方向に沿って長尺に形成されている。
【００３５】
本体処理部２７は円筒形状の中心軸に沿う方向が機体上下方向に沿う姿勢で配備されている。円筒形状のドージング部２６は、本体処理部２７に対して機体右側に位置して、本体処理部２７に平行に並ぶ状態で、円筒形状の中心軸に沿う方向が機体上下方向に沿う姿勢で配備されている。
【００３６】
図３に示すように、第２排ガス処理装置２１は、上部側の連結支持部２８及び下部側の連結支持部２９にて、縦向き支持フレーム３０に支持されている。すなわち、上部側の連結支持部２８及び下部側の連結支持部２９の夫々において、縦向き支持フレーム３０の外周部に一体的に側面視Ｌ字形の連結ブラケット３１が固定されている。第２排ガス処理装置２１の本体処理部２７の外周部における、上下両側の連結ブラケット３１に対応する箇所に横向き支持体３２が固定されている。上下両側の横向き支持体３２と上下両側の連結ブラケット３１とがボルトで連結されることで、第２排ガス処理装置２１が縦向き支持フレーム３０に支持されている。
【００３７】
図２，３に示すように、第２排ガス処理装置２１において、本体処理部２７に対して機体右側に位置するドージング部２６の上部側箇所に排ガス供給部３３が形成されている。
そして、第１排ガス処理装置２０の排ガス出口部２５と、第２排ガス処理装置２１の排ガス供給部３３と、が接続部材としての連通接続管３４を介して連通接続されている。連通接続管３４は、第１排ガス処理装置２０の排ガス出口部２５にフランジ連結されるとともに、図４にも示すように、第２排ガス処理装置２１の排ガス供給部３３にフランジ連結される。
【００３８】
図示はしないが、第２排ガス処理装置２１に供給する還元剤としての尿素水を貯留する尿素水タンクが運転部４の前部下方側に備えられ、尿素水をポンプにより配管を通して第２排ガス処理装置２１に送給するように構成されている。
【００３９】
穀粒タンク６は、正面視で下窄まり状に形成されている。穀粒タンク６の機体左側に位置する下窄まり状の底部傾斜面に、タンク内方に向けて凹入する第１凹入部Ｑ１が形成されている。そして、図４に示すように、第２排ガス処理装置２１が第１凹入部Ｑ１に入り込む状態で配備されている。また、図４に示すように、穀粒タンク６の機体左側面の前後中間部には、揚穀コンベア１４を装着するための第２凹入部Ｑ２が形成されている。
【００４０】
図２に示すように、穀粒タンク６は、縦送りスクリューコンベア８Ａの回転軸芯である上下軸芯Ｙ１周りで揺動自在に機体フレーム１９（図２に図示せず）に支持されている。
そして、穀粒タンク６は、機体内方側に引退する通常作業位置（図２の実線で示す状態）と、機体横外側方に張り出す姿勢であるメンテナンス位置（図２の仮想線で示す状態）と、にわたって位置変更自在に設けられている。
【００４１】
図２，３，４に示すように、穀粒タンク６と第２排ガス処理装置２１との間に位置して第２排ガス処理装置２１の熱を遮る遮熱カバー３５が備えられている。この遮熱カバー３５は、第２排ガス処理装置２１の周囲のうち、上部側箇所、脱穀装置５とは反対側に対応する箇所、及び、後部側箇所の夫々に対応する箇所を覆う状態で設けられている。
【００４２】
〔排気管〕
図３，４に示すように、第１排ガス処理装置２０及び第２排ガス処理装置２１にて処理された排ガスを、外部に排出する排気管３６が備えられている。排気管３６は、脱穀装置５と穀粒タンク６との間において、排出口としての排気口３７が脱穀装置５の上端よりも上方に位置するように、第２排ガス処理装置２１の排ガス出口部３８から後上がり傾斜姿勢で脱穀装置５の上端側箇所まで延ばれている。排気管３６の上端部に排気口３７が形成され、その排気管３６の上端部が脱穀装置５側に向けて曲がる状態で延設されている。
【００４３】
排気管３６は、排ガス出口部３８から延設される排ガス流出管３９と、排ガス流出管３９に連なる中間排気管４０と、中間排気管４０に連なる終端側排気管４１とからなる。
排ガス流出管３９は、第２排ガス処理装置２１の排ガス出口部３８から機体後方側に向かって水平又はほぼ水平に延出する基端側部３９ａと、この基端側部３９ａの延出端から機体後方向き状態から機体上方後方向きに屈曲して延出する屈曲先端側部３９ｂと、を備えている。
【００４４】
中間排気管４０は、排ガス流出管３９の屈曲先端側部３９ｂに対応する箇所から後上り傾斜姿勢で上下方向に沿って延設されている。終端側排気管４１は、中間排気管４０に対して湾曲する状態で脱穀装置５側に向けて延設されている。
【００４５】
中間排気管４０は、排ガス流出管３９の出口部から脱穀装置５の上端部に相当する位置まで延びている。この中間排気管４０は断面略Ｕ字形のカバー部材４２にて覆われている。図６，７に示すように、カバー部材４２は、中間排気管４０の外周面に固定された取付ブラケット４３にボルト連結されている。中間排気管４０の機体前部側箇所が取付ブラケット４４を介して脱穀装置５の右側の側壁５ａに支持されている。中間排気管４０の機体後部側箇所が、揚穀コンベア１４及び脱穀装置５の右側の側壁５ａに支持されている。
この中間排気管４０の機体後部側箇所における支持構造については後述する。
【００４６】
図３に示すように、終端側排気管４１は中間排気管４０よりも大径に設けられ、終端側排気管４１の始端側が中間排気管４０の終端部に被さる状態で位置し、図示しないブラケットを介して連結して接続されている。終端側排気管４１と中間排気管４０との間に隙間が形成されており、排気の流動に伴うエジェクタ作用によって、その隙間から外気を内部に吸引して排ガスの冷却を行なうことができる。
【００４７】
終端側排気管４１は、断面が略円形となる円筒状体にて構成され、機体前後方向視で上方に向かうほど脱穀装置５側に向けて略円弧状に曲がるように湾曲状に延設されている。
そして、終端側排気管４１の先端部の端面に排気口３７が形成されている。排気口３７は上縁が下縁よりも穀粒タンク６から離れる側すなわち機体左側に突出する形状に形成されている。排気口３７は、上側が下側よりも外方側に位置する傾斜姿勢で、前後方向視で直線状の円筒状体に形成されている。すなわち、図６に示すように、終端側排気管４１の排気口３７は、脱穀装置５の右側天板部分１６ａが開位置へ揺動するのを許容するように、排気口３７の下縁が上縁よりも穀粒タンク６側に引退した傾斜形状に形成されている。
【００４８】
エンジン１７から排出された排ガスは、第１排ガス処理装置２０にてディーゼル微粒子を減少させる浄化処理が行われたのち、第２排ガス処理装置２１にて排ガス中に含まれる窒素酸化物を低減させる浄化処理が行われ、浄化処理を終えた排ガスが排気管３６を通して機体外部に排出される。
【００４９】
次に、中間排気管４０の機体後部側箇所における支持構造について説明する。
図４，７に示すように、揚穀コンベア１４の上部が前後両側の連結ブラケット４５，４６を介して脱穀装置５の右側の側壁５ａに支持されている。前後の連結ブラケット４５，４６のうちの後側の連結ブラケット４５は、上下方向及び前後方向の夫々に幅広の板状部材にて構成されている。連結ブラケット４５の一端部が揚穀コンベア１４の外周面に溶接等により一体的に連結され、連結ブラケット４５の他端部が脱穀装置５の右側の側壁５ａにボルト連結されている。
【００５０】
図４，７，８，９に示すように、前後の連結ブラケット４５，４６のうちの前側の連結ブラケット４６は、揚穀コンベア１４の外周面に溶接等により一体的に連結されたコンベア側の第１構成体４７、脱穀装置５の側壁５ａにボルト連結された脱穀装置５側の第２構成体４８、第１構成体４７と第２構成体４８とに亘って設けられ、夫々の構成体４７，４８にボルト連結される中間の第３構成体４９という３つの部材からなる。
【００５１】
第１構成体４７は、後側の連結ブラケット４５に比べて上下方向並びに前後方向夫々の幅が幅狭の板状体からなり、後側の連結ブラケット４５よりも高い位置において揚穀コンベア１４の外周面に連結されている。
【００５２】
第２構成体４８は、脱穀装置５の側壁５ａに当て付けてボルト連結される第１縦面４８Ａと、第１縦面４８Ａの端部から外側方に向かって延びる第２縦面４８Ｂと、第１縦面４８Ａ及び第２縦面４８Ｂ夫々に対して直交する方向に延びる水平面４８Ｃと、を一体的に備えている。
【００５３】
第３構成体４９は、第１構成体４７から第２構成体４８に亘ってのびる縦面部分４９Ａと、縦面部分４９Ａにおける第２構成体４８側の下端部から機体前側に向かって延びる水平面部分４９Ｂと、が一体形成された板状体にて構成されている。
【００５４】
第１構成体４７の外端部と第３構成体４９の縦面部分４９Ａの一端部とが２本のボルトＢｏで連結される。第３構成体４９の縦面部分４９Ａの他端部と第２構成体４８の第１縦面４８Ａとが２本のボルトＢｏで連結され、第３構成体４９の水平面部分４９Ｂと第２構成体４８の水平面４８Ｃとが１本のボルトＢｏで連結されている。
【００５５】
そして、第３構成体４９における第１構成体４７に対する連結箇所と第２構成体４８に対する連結箇所との中間部に、中間排気管４０の外周面に一体的に固定された取付ブラケット５０が１本のボルトＢｏで連結されている。
【００５６】
図４，９に示すように、第１構成体４７と第２構成体４８との間は、中間排気管４０の外径寸法よりも大きい距離だけ離間しており、第３構成体４９を取付けていないときは、第１構成体４７と第２構成体４８との間を排気管３６が通過することが可能である。
【００５７】
このように前側の連結ブラケット４６を分割構成とすることで、脱穀装置５の側壁５ａと揚穀コンベア１４との間を通して排気管３６を装着する際に、排気管３６の取付けが行い易いものになる。説明を加えると、例えば、前側の連結ブラケット４６が揚穀コンベア１４と脱穀装置５の側壁５ａとに亘って一連に形成されるものでは、排気管３６の後上部側箇所を前側の連結ブラケット４６の下側を通して、前側の連結ブラケット４６と後側の連結ブラケット４５との間に入り込ませる作業が必要であり、作業が煩わしいものとなる。これに対して、上記したような分割構成であれば、第１構成体４７と第２構成体４８との間の空間を利用して、排気管３６を前側の連結ブラケット４６の前部側に移動させたのちに、第３構成体４９を取付ければよく、作業が行い易いものになる。
【００５８】
〔排気管上部のカバー〕
刈取作業に伴って発生するワラ屑が、脱穀装置５と穀粒タンク６との間の隙間を通して排気管３６に降りかかることを防止するための防塵用のカバー５１が設けられている。すなわち、図３，４，６に示すように、排気管３６の排気口３７よりも前側において、排気管３６よりも上側に位置する箇所に、脱穀装置５と穀粒タンク６とに亘るカバー５１が設けられている。
【００５９】
図６に示すように、穀粒タンク６における排気管３６の上方側に位置する箇所は、上端部６ａが脱穀装置５側に向けて張り出す形状となっており、穀粒貯留量を多くするように構成されている。穀粒タンク６における脱穀装置５と横方向に対向して並ぶ中間部箇所６ｂは、脱穀装置５の横側の近い位置となるように形成されている。上端部６ａと中間部箇所６ｂとの間は、下側ほど順次幅狭になるように傾斜状に形成されている。中間部箇所６ｂよりも下方側には、排気管３６を収納するために第３凹入部Ｑ３が形成されている。
【００６０】
図６に示すように、カバー５１は、穀粒タンク６における脱穀装置５と対向する中間部箇所６ｂと、脱穀装置５の穀粒タンク６側の側部との間に位置する状態で備えられている。カバー５１は、硬質ゴム等の弾性部材にて形成され、前後方向に長い帯板状に形成されている。
【００６１】
図３，４，６に示すように、カバー５１は、脱穀装置５の穀粒タンク６側の側壁５ａにおける上端部において、水平状態で且つ前後方向に延びる状態で設けられている。説明を加えると、カバー５１は、脱穀装置５の機体右側の側壁５ａ（図６では左側）の上端部に機体前後方向に沿って延びる状態で設けられている。側壁５ａの上端部における内部側には、断面矩形状の脱穀フレーム５２が備えられている。図５に示すように、脱穀フレーム５２にて支持される箇所の近くに、穀粒タンク６の機体前後方向の略全幅にわたって取付け用の断面Ｌ字形の支持ブラケット５３が設けられている。支持ブラケット５３の縦面部５３ａが側壁５ａに複数のボルトＢｏで連結されている。側壁５ａの内側には補強板５４が設けられている。
【００６２】
支持ブラケット５３の水平面部５３ｂの上側にカバー５１が載置され、且つ、カバー５１の上面側に当て板５５を備えた状態で、カバー５１を挟む状態で水平面部５３ｂと当て板５５とが複数のボルトＢｏで締結されてカバー５１が固定されている。支持ブラケット５３の水平面部５３ｂの遊端側箇所、及び、当て板５５の遊端側箇所には、穀粒タンク６側に向かうほど上向きに傾斜する傾斜面ｋが形成されている。ボルトＢｏの締め付けと、傾斜面ｋによる案内作用とにより、カバー５１の遊端側が上向き傾斜姿勢に形成されている。このようにカバー５１の上部で受け止められたワラ屑等ができるだけ遊端側から落下しないように構成されている。
【００６３】
カバー５１は、穀粒タンク６における脱穀装置５と対向する箇所において、穀粒タンク６の側面に略沿う状態で設けられ、第２凹入部Ｑ２に近い箇所では、穀粒タンク６の側面の形状に沿うように、平面視で揚穀コンベア１４側に傾斜する斜め姿勢に設けられている。
【００６４】
また、図４に示すように、カバー５１の下方には第２排ガス処理装置２１が配置されている。このように構成することで、ワラ屑が排気管３６及び第２排ガス処理装置２１に降りかかることをカバー５１によって防止している。
【００６５】
〔別実施形態〕
（１）カバー５１が脱穀装置５に支持される構成に代えて、カバー５１が穀粒タンク６に片持ち状に支持される構成としてもよい。
【００６６】
（２）カバー５１は弾性部材に代えて、例えば、金属や硬質の合成樹脂等の硬質の材料で構成するものでもよい。
【００６７】
（３）穀粒タンク６が通常作業状態において位置固定状態で備えられるものでもよい。
【００６８】
（４）第２排ガス処理装置２１がカバー５１の下方側から外れた位置に設けられるものでもよい。
【産業上の利用可能性】
【００６９】
本発明は、自脱型コンバインの他、普通型コンバインにも適用できる。
【符号の説明】
【００７０】
４        運転部
５        脱穀装置
６        穀粒タンク
１７      エンジン
２１      排ガス浄化装置
３６      排気管
３７      排出口
３８      排出部
５１      カバー
【図１】
2020137524.tif 000003
【図２】
2020137524.tif 000004
【図３】
2020137524.tif 000005
【図４】
2020137524.tif 000006
【図５】
2020137524.tif 000007
【図６】
2020137524.tif 000008
【図７】
2020137524.tif 000009
【図８】
2020137524.tif 000010
【図９】
2020137524.tif 000011